(57)【要約】      （修正有）【課題】十分な冷却効果があり、かつ快適な冷却感を感じるミスト量と風量の適当な組み合わせの範囲に収めるのが容易な美容装置を提供する。【解決手段】空気ポンプ２０から吐出された空気と液体供給路２１により供給された液体１９とを混合してミストノズルより噴出しミストを発生させるミスト発生部と、送風を発生する送風部２３と、発生した送風を供給する送風供給路２４と、前記送風供給路２４により供給された送風を放出するミスト空気放出孔と、を備える。【選択図】図５
2008295473.tif 000002
【特許請求の範囲】
【請求項１】
ポンプから吐出された空気と液体供給路により供給された液体とを混合してノズルより噴出しミストを発生させるミスト発生部と、
送風を発生する送風部と、
発生した送風を供給する送風供給路と、
前記送風供給路により供給された送風を放出する放出孔と、を備えた
ことを特徴とする美容装置。
【請求項２】
請求項１記載の美容装置であって、
前記液体を加熱する加熱部を配置した
ことを特徴とする美容装置。
【請求項３】
請求項２記載の美容装置であって、
前記液体供給路を通る加熱された液体を冷却する冷却手段を備えた
ことを特徴とする美容装置。
【請求項４】
請求項３記載の美容装置であって、
前記冷却手段として送風供給路により供給された送風を用いて冷却するように構成された
ことを特徴とする美容装置。
【請求項５】
請求項４記載の美容装置であって、
前記液体供給路の周囲に放熱フィンを配置するように構成された
ことを特徴とする美容装置。
【請求項６】
請求項１から請求項５の何れか一つに記載の美容装置であって、
前記液体を加熱気化させてスチームを発生させるスチーム発生部と、
スチームとミストを交互に供給するようにスチーム発生部とミスト発生部とを制御する制御部とを、備えた
ことを特徴とする美容装置。
【発明の詳細な説明】
【技術分野】
【０００１】
本発明は、スチームやミストにより温あるいは冷の熱的刺激を肌に与える美容装置に関する。
【背景技術】
【０００２】
従来、美容装置においては、ミストを発生させる手段として超音波式のものがあった（例えば、特許文献１など参照）。
【０００３】
また、超音波振動により発生されたミストに含まれる雑菌の吸引対策として、ヒータにより液体を加熱させてから霧化する方式のものがあった（例えば、特許文献２など参照）。
【特許文献１】登録実用新案第３０５４７５０号公報
【特許文献２】特開平１１−９９１８９号公報
【発明の開示】
【発明が解決しようとする課題】
【０００４】
しかしながら、上記背景技術の構成では、ミストによる冷却性能は主に発生させるミスト量（顔がどれだけ濡れるか）と風量（顔についたミストを気化させる）に関係するが、超音波式の場合、ミスト発生部自身ではミストを送り出す機能はなく送風部によりミストを送り出す必要がある。すなわち、超音波霧化は、液体を溜めた液体溜め部の底に設置された超音波振動子を発振させることにより発生させた液体柱から霧化されるが、発生したミストは自重により落下するので、風を送り、ミストを運ぶ必要がある。この際に、風量と顔へ届くミスト量には相関がある。例えば、風量を増やすと、顔へ届くミスト量も増える。
【０００５】
一方、人がミストを顔に受ける際の官能としては、ミストが多ければ冷却感を感じるが、多すぎると過度の冷却感を感じたり、顔が濡れすぎてベトベト感を感じて不快になる。また、ミストが少なければ十分な冷却感を得ることはできない。同じように風量も多ければ冷却感を感じるが、多すぎると過度の冷却感を感じたり、息苦しく感じて不快になり、少なければ十分な冷却感を得ることはできない。つまり、十分な冷却効果があり、かつ快適な冷却感を感じるミスト量と風量の組み合わせの範囲がある。
【０００６】
超音波式では、上述したように風量と顔へ届くミスト量に相関があるので、風量のバラツキが大きくなるとミスト量のバラツキも大きくなるという問題があり、十分な冷却効果があり、かつ快適な冷却感を感じるミスト量と風量の適当な組み合わせの範囲に収めるのが難しいという課題があった。
【０００７】
また、初期に適当な組み合わせの範囲に収めていても、送風部の経年劣化などにより風量変化が発生した場合、ミスト量までもが変化してしまい、収めていた適当な組み合わせの範囲から逸脱する可能性が増すという課題もあった。
【０００８】
更には、ミストを発生させるために、大きな液体溜め部が必要であり、構造上大きくなるという課題もあった。
【０００９】
また、液体溜め部に残った水が長期間放置されて、次にその水を使用する場合に衛生上の問題が生じる可能性があった。
【００１０】
また、上記の対策として、霧化室に溜めた液体をヒータなどで加熱する場合、ミストを送り出す風もこの霧化室中を通り、液体柱などにより加熱され、また、そもそも加熱された液体を霧化するのでミスト自身も常温の液体を霧化させた場合に比べて温かいミストとなってしまい十分な冷却感を得られないという課題があった。
【００１１】
更には、大きな液体溜め部に溜められた多くの液体を加熱するには、出力の大きなヒータが必要であり、多くの電力を消費するという課題があった。
【００１２】
そこで、本発明は、このような従来の課題を解決するものであり、十分な冷却効果があり、かつ快適な冷却感を感じるミスト量と風量の適当な組み合わせの範囲に収めるのが容易で、送風部の経年劣化などにより風量変化が発生した場合に収めていた適当な組み合わせの範囲から逸脱する可能性が少なく且つ構造上小さくできる美容装置を提供することを目的とする。
【００１３】
また、本発明は、常時衛生的に使用でき、十分な冷却効果を得ることができ、且つ多くの電力を消費することがない美容装置を供給することを目的とする。
【課題を解決するための手段】
【００１４】
上記課題を解決するために、本願請求項１記載の美容装置は、ポンプから吐出された空気と液体供給路により供給された液体とを混合してノズルより噴出しミストを発生させるミスト発生部を有し、さらに、送風を発生する送風部と、発生した送風を供給する送風供給路と、前記送風供給路により供給された送風を放出する放出孔と、を備える。
【００１５】
本願請求項２記載の美容装置においては、液体を加熱する加熱部を配置する。
【００１６】
本願請求項３記載の美容装置においては、液体供給路を通る加熱された液体を冷却する冷却手段を備える。
【００１７】
本願請求項４記載の美容装置においては、冷却手段として、送風供給路により供給された送風を用いて冷却するように構成される。
【００１８】
本願請求項５記載の美容装置においては、液体供給路の周囲に放熱フィンを配置するように構成される。
【００１９】
本願請求項６記載の美容装置においては、液体を加熱気化させてスチームを発生させるスチーム発生部と、スチームとミストを交互に供給するようにスチーム発生部とミスト発生部とを制御する制御部とを、備える。
【発明の効果】
【００２０】
請求項１記載の美容装置によれば、ミストの発生量と風量が互いに相関がないので（ミストを発生させる際の空気ポンプの風量は、送風部から発生される風量に比べてわずかな量であるため）、風量のバラツキがミスト量のバラツキにも影響することがない。したがって、この美容装置によれば、十分な冷却効果があり、且つ快適な冷却感を感じるミスト量と風量の適当な組み合わせの範囲に容易に収めることができる。
【００２１】
また、請求項１記載の美容装置によれば、送風部の経年劣化などにより風量変化が発生した場合でも、初期の収めていた適当な組み合わせの範囲から逸脱する可能性が少ない。また、請求項１の美容装置によれば、ミストを発生させるために、従来のように大きな液体溜め部が必要でないので、構造上装置自体を小さくできる。
【００２２】
請求項２記載の美容装置によれば、本方式により発生されるミストの平均粒径は数十μｍ程度であり、僅かではあるが肺にまで到達するような数ミクロンの粒径のミストも含んでいるが、加熱部を設けることにより、液体を加熱殺菌してからミスト化することができるので、常時衛生的に使用することができる。
【００２３】
また、請求項２記載の美容装置によれば、送風部から発生される風は加熱部を通る必要はないので、風が加熱されることはなく、冷却感を損なうことはない。
【００２４】
また、請求項２記載の美容装置によれば、霧化させるのに多くの液体を溜めておく必要がないので、加熱するためのヒータは小さな出力で済み、多くの電力を消費することがない。
【００２５】
請求項３記載の美容装置によれば、加熱された液体をノズルに送りミスト化するまでに冷却することができるので、ミストの温度を常温に近づけることができ、更に冷却感を損なうことはない。
【００２６】
請求項４記載の美容装置によれば、冷却性能を与えるための送風を用いるため、構造上装置自体が大きくなることがない。
【００２７】
また、請求項４記載の美容装置によれば、冷却する空気の温度上昇は僅かなため（送風される空気量に対して発生させるミスト量が僅かなため）、更に冷却感を損なうことはない。
【００２８】
請求項５記載の美容装置によれば、加熱された液体をノズルに送りミスト化するまでに冷却する効率を上げることができるため、ミストの温度を更に、常温に近づけることができ、更に冷却感を損なうことはない。
【００２９】
請求項６記載の美容装置によれば、スチームによる温刺激の後にミストによる冷刺激を与えることができるので、冷却感の快適性を上げることができる。
【発明を実施するための最良の形態】
【００３０】
以下、本発明を適用した具体的な実施形態について図面を参照しながら詳細に説明する。
【００３１】
「実施形態１」
実施形態１の美容装置は、図１に示すように、装置本体１を備えている。装置本体１は、ハウジング２と、このハウジング２の上部を塞ぐ上蓋３と、ハウジング２の底部を塞ぐ底蓋４と、上蓋３に取り付けられたタンク蓋５と、ノズル部６とから構成されている。
【００３２】
ノズル部６には、スチームが噴出されるスチーム噴出孔７と、ミストと空気が放出されるミスト空気放出孔８が開口されている。また、ノズル部６は、図２に示すように、ノズル固定台９にネジ止め固定され、ある程度の角度範囲（例えば３０度）で同図中矢印Ａで示す方向に回動可能とされている。
【００３３】
上蓋３には、電源操作スイッチボタン１０と、モード切替操作スイッチボタン１１とが設けられている。電源操作スイッチボタン１０は、装置本体１の内部に構成された電源スイッチ２７をオン（ＯＮ）またはオフ（ＯＦＦ）する操作ボタンである。モード切替操作スイッチボタン１１は、装置本体１の内部に構成されたモード切替スイッチ２８を操作するためのボタンである。
【００３４】
装置本体１の内部は、図２および図３に示すように、スチーム発生部１２と、ミスト発生部１３と、これらスチーム発生部１２とミスト発生部１３に対してスチームとミストを交互に供給するように駆動制御する制御部１４と、に分けられる。
【００３５】
スチーム発生部１２は、図１及び図３に示すように、主にタンク１５と、スチームヒータ（図示せず）と、煮沸室（図示せず）と、スチーム噴出孔７と、で構成される。
【００３６】
タンク１５は、図１０に示すように、装置本体１内において給水貯留部１６に連結されている。タンク１５内には、例えば水などの液体１９が満たされる。給水経路部１７は、給水貯留部１６および煮沸室の下方に位置するような状態で接続されている。煮沸室は、スチームヒータの加熱面に臨んで配設されている。煮沸室とスチーム噴出孔７は、スチーム経路部１８で接続されている。また、タンク１５は、ミスト発生部１３にも液体１９を供給するように構成されている。
【００３７】
このようにして構成された美容装置では、タンク１５より供給された液体１９（例えば水）を煮沸室で加熱沸騰させて発生させたスチームを、前記スチーム噴出孔７から使用者の顔や手などに噴出するように構成されている。
【００３８】
ミスト発生部（ミスト発生手段）１３は、図１、図２及び図５に示すように、主に空気ポンプ２０と、液体溜め部７４と、液体供給路２１と、ミストノズル２２と、送風部２３と、送風供給路２４と、ミスト空気放出孔８と、で構成される。
【００３９】
空気ポンプ２０は、図５から図７に示すように、ポンプ支持台２５により支持されている。ポンプ支持台２５は、底蓋４に設けられた支持ボス２６にネジ止め固定される。空気ポンプ２０は、ポンプモータ９０と、圧縮室９１よりなり、シリコンチューブなどを接続可能とした中空の吐出ボス２９を有し、該吐出ボス２９から空気を吐出するように構成されている。
【００４０】
吐出ボス２９には、空気接続チューブ３０の一端が接続されている。この空気接続チューブ３０のもう一方の端（他端）は、第３送風路３１の外壁に設けられた中空の第１接続ボス３２に接続されている。第３送風路３１の内壁には、第１接続ボス３２と相対する位置に同じく中空の第２接続ボス３３が設けられている。この第２接続ボス３３と第１接続ボス３２は、その中心部の連通孔３４を通して前記第３送風路３１の外壁側と内壁側を連通させている。第２接続ボス３３には、第４送風路６６内に設けられる空気接続チューブ３５の一端が接続されている。この空気接続チューブ３５のもう一方の端（他端）は、ミストノズル２２に設けられた中空の空気接続ボス３６に接続されている。
【００４１】
液体溜め部７４は、図５に示すように、液体溜め室３７と、液体溜め室底蓋３８とからなり、これらの間に防水ゴムなどが介在されて液密保持構造とされている。そして、これら液体溜め室３７と液体溜め室底蓋３８とは、前記した底蓋４に設けられた一対の支持ボス３９にネジ止め固定される。液体溜め室３７の側面には、シリコンチューブなどを接続させる中空の液体供給ボス４０が設けられている。液体溜め部７４に必要とされる液体１９の体積は、数ｃｃから２０ｃｃ程度でよく、超音波式の溜め水（例えば１００ｃｃ）に比べ十分少量でよい。
【００４２】
液体供給ボス４０には、図５および図１０に示すように、液体供給チューブ４１の一端が接続されている。液体供給チューブ４１のもう一方の端（他端）は、タンクホルダー４２に設けられた中空のミスト側ボス４３に接続される。液体溜め室３７には、この液体供給チューブ４１を介して前記したタンク１５から液体１９が供給されるようになっている。
【００４３】
液体供給路２１は、図５から図７に示すように、液体供給パイプ４４と、第１液体供給チューブ４５と、第２液体供給チューブ４６とから構成される。液体供給パイプ４４は、第３送風路３１の内部に配置されている。そして、液体供給パイプ４４は、第３送風路３１の底面に設けられた底穴４７と液体溜め室３７の天面に設けられた天穴４８に臨むように設けられた中空の第１接続ボス４９を下端に有し、上端には中空の第２接続ボス５０を有している。
【００４４】
第１接続ボス４９には、第１液体供給チューブ４５の一端が接続されている。第１液体供給チューブ４５のもう一方の端（他端）は、液体溜め部７４に溜められた液体１９に浸かるように配置されている。第２接続ボス５０には、前記ミストノズル２２と接続される第２液体供給チューブ４６の一端が接続されている。この第２液体供給チューブ４６のもう一方の端（他端）は、前記ミストノズル２２に設けられた中空の液体接続ボス５１に接続されている。
【００４５】
ミストノズル２２は、図７に示すように、ノズル支持台５２に固定されている。ノズル支持台５２は、ミストノズルカバー５３とノズル固定台９との間に嵌合固定されている。そして、ミストノズル２２は、図８及び図９に示すように、ミスト噴出孔５４を有し、そのミスト噴出孔５４からミストを使用者の顔や手などに噴出するようになっている。
【００４６】
また、ミストノズル２２は、空気接続チューブ３５が接続される中空の空気接続ボス３６と、第２液体チューブ４６が接続される中空の液体接続ボス５１とを有している。空気接続ボス３６の中空部の奥は、出口側の径に対して直径が小さい細径部５５に連通している。また、ミスト噴出孔５４の孔径φＢは、前記細径部５５の孔径φＡよりも大（φＢ＞φＡ）とされており、該細径部５５と同心円上に配置されている。細径部５５とミスト噴出孔５４との間には、液体吸い上げ穴５６がこれらに連通するように配置されている。かかる液体吸い上げ穴５６は、前記した液体接続ボス５１の中空部と連通しており、液体溜め室３７に貯水された液体１９と前記液体供給路２１を介して繋がっている。
【００４７】
送風部２３は、図５に示すように、送風部ハウジング５７と、ファンモータ５８およびファン５９とから構成され、前記した底蓋４に固定されている。
【００４８】
送風部ハウジング５７は、下部に空気吸入部６０を有し、上部に送風供給路２４と接続される開口端６１を有している。この送風部ハウジング５７は、その内部にファンモータ５８と、このファンモータ５８により回転されるファン５９とを内包している。ファンモータ５８は、回転軸６２を有し、その回転軸６２に前記ファン５９を圧入固定させている。ファン５９は、ファンモータ５８の正回転に伴い、下部の空気吸入部６０から上部の開口端６１に空気が流れるような向きに配置されている。
【００４９】
送風供給路２４は、図３、図５、図６及び図７に示すように、第１送風路６３と、第２送風路６４と、第３送風路３１と、ノズル固定台基台６５と、ノズル固定台９と、ミストノズルカバー５３と、第４送風路６６とから構成され、密閉された一連の空気供給路を形成している。
【００５０】
第１送風路６３は、図５に示すように、一端側部を送風部ハウジング５７の開口端６１を覆うように連結され、他端側部を第２送風路６４の一端に対して密閉状態で連結されている。第２送風路６４の他端は、第３送風路３１に形成された中空の風路接続ボス６７に接続されている。
【００５１】
第３送風路３１は、図２及び図５に示すように、立方体形状をなし、前記した液体溜め室３７の上に固定されている。この第３送風路３１の上端には、ノズル固定台基台６５が固定されている。そして、第３送風路上端の開口部は、前記ノズル固定台基台６５により密閉される。
【００５２】
ノズル固定台基台６５には、図２に示すように、ある程度の角度範囲（例えば３０度）で回動可能なように前記ノズル固定台９が取り付けられている。また、ノズル固定台基台６５とノズル固定台９は、該ノズル固定台９を回動させても機密状態を保持できるようにシリコンゴム製の第４送風路６６で接続されている。
【００５３】
ミストノズルカバー５３は、図７に示すように、中空に形成されており、その一端はノズル固定台９の開口端に取り付けられ、他端はミスト噴出孔５４に面している。このミストノズルカバー５３の出口は、ミスト空気放出孔８とされている。
【００５４】
空気吸入部６０から吸入された空気は、ファンモータ５８で回転されるファン５９により、送風供給路２４の入り口である第１送風路６３からミストノズルカバー５３まで送風され、ミスト空気放出孔８から前記したミスト噴出孔５４より噴出されるミストと共に、風を使用者の顔や手などに噴出するように構成されている。
【００５５】
制御部１４は、図２、図３及び図５に示すように、ポンプ制御部６８と、ファン制御部６９と、スチームヒータ制御部７０とからなる（詳細は図示せず）。
【００５６】
ポンプ制御部６８は、ポンプモータ９０に電気的に接続されており、該ポンプモータ９０の回転数を制御し、その結果、空気ポンプ２０から吐出される空気量を制御する。
【００５７】
ファン制御部６９は、ファンモータ５８に電気的に接続されており、ファンモータ５８の回転数を制御し、その結果、ファン５９から送風される空気量を制御する。
【００５８】
スチームヒータ制御部７０は、スチームヒータに電気的に接続されており、スチームヒータの発熱量を制御し、その結果、スチーム噴出孔７から噴出するスチーム量を制御する。
【００５９】
以上の構成において、本実施形態１における美容装置の動作を、図１、図５、図８及び図１０を参照しながら説明する。
【００６０】
先ず、装置本体１からタンク蓋５を開けてタンク１５を取り出し、そのタンク１５内に液体１９を入れ、再び装置本体１内にタンク１５を収納する。この時、タンクホルダー４２に設けられた突出ピン７１によって、タンク１５に設けられた止水ピン７２が前記タンク１５の内側に押し込まれ、円錐パッキン７３の水密性が解除されることによって、前記タンク１５内の液体１９がスチーム発生部１２の煮沸室とミスト発生部１３の液体溜め部７４に供給される。なお、タンクホルダー４２内と煮沸室と液体溜め部７４の液体１９は、液面を示すラインＸで釣り合っている（煮沸室側は図示せず）。
【００６１】
次に、電源操作スイッチボタン１０を押して電源を起動し、モード切替操作スイッチボタン１１により、所定のモード（スチーム発生モードまたはミスト発生モード）を選択する。選択されたモードに従い、スチームヒータ制御部７０、あるいはポンプ制御部６８とファン制御部６９に電力が供給される。
【００６２】
スチームを発生させるモードが選択された場合は、スチームヒータ制御部７０からスチームヒータに電力が供給される。スチームヒータの熱で煮沸室内の水を煮沸（加熱気化）させることにより発生したスチームは、スチーム経路部１８を通ってスチーム噴出孔７から吐出される。
【００６３】
ミストを発生させるモードが選択された場合は、ポンプ制御部６８からポンプモータ９０に電力が供給されると共に、ファン制御部６９からファンモータ５８に電力が供給される。ポンプモータ９０が駆動されると、吐出ボス２９から空気が吐出され、空気接続チューブ３０を通って最終的に空気がミスト噴出孔５４から吐出される。
【００６４】
この時、細径部５５（φＡ）に対してミスト噴出孔５４（φＢ）の孔径を大きく構成しているので、液体吸い上げ穴５６に負圧が発生する。発生した負圧により、液体溜め部７４の液体１９が液体供給路２１を通って吸い上げられ、液体吸い上げ穴５６まで到達する。そして、吸い上げられた液体１９は、空気と混合されてミストとなり、最終的にミスト噴出孔５４から噴出される。
【００６５】
ファンモータ５８が駆動されると、ファン５９が回転し、空気吸入部６０から空気が吸入される。そして、吸入された空気は、第１送風路６３などを通って、最終的にミスト空気放出孔８から、前記ミスト噴出孔５４から噴出されたミストと共に放出される。
【００６６】
なお、上述のように構成された美容装置においては、ミストの発生量は０．４ｃｃ／分から２．０ｃｃ／分、好ましくは０．８ｃｃ／分から１．６ｃｃ／分であることが望ましく、ミストの平均粒径は２０μｍから１００μｍ、好ましくは５０μｍから７０μｍであることが望ましい。そのためには、ポンプ１２の流量は、０．３リットル／分から２．４リットル／分、好ましくは０．９リットル／分から１．８リットル／分であることが望ましく、細径部５５の穴径は０．３ｍｍから０．６ｍｍ、好ましくは０．４ｍｍから０．５ｍｍであることが望ましく、細径部５５とミスト噴出孔５４の穴径の差は０．０３ｍｍから０．１２ｍｍ、好ましくは０．０５ｍｍから０．１０ｍｍであることが望ましい。
【００６７】
また、この美容装置においては、ミスト空気放出孔８の径がφ２０ｍｍのとき、送風部２３の流量は３０リットル／分から７０リットル／分、好ましくは４０リットル／分から６０リットル／分であることが望ましい。これらミスト発生量、ミスト平均粒径、ポンプ流量、細径部の穴径などは、後述する実施形態２の美容装置でも同じである。
【００６８】
また、この美容装置においては、制御部１４がスチーム発生部１２とミスト発生部１３を制御することにより、スチームとミストを交互に供給させるモードとすることもできる。
【００６９】
以上のように本実施形態１の美容装置によれば、ミストの発生量と風量が互いに相関がないので（ミストを発生させる際の空気ポンプ２０の風量は、送風部２３から発生される風量に比べてわずかな量であるため）、風量のバラツキがミスト量のバラツキにも影響することがない。したがって、この美容装置によれば、十分な冷却効果があり、且つ快適な冷却感を感じるミスト量と風量の適当な組み合わせの範囲に容易に収めることができる。
【００７０】
また、本実施形態１の美容装置によれば、送風部２３の経年劣化などにより風量変化が発生した場合、収めていた適当な組み合わせの範囲から逸脱する可能性が少ない。
【００７１】
また、本実施形態１の美容装置によれば、ミストを発生させるために、従来のように大きな液体溜め部７４が必要でないので、構造上装置自体を小さくできる。
【００７２】
また、本実施形態１の美容装置によれば、モード選択によりスチームによる温刺激の後に、ミストによる冷刺激を与えることができるので、冷却感の快適性を上げることができる。
【００７３】
「実施形態２」
本実施形態２において、実施形態１と同じ構成および作用効果を有するものについては実施形態１と同一の符号を付し、その詳細な説明については実施形態１の説明を援用する。
【００７４】
実施形態２が実施形態１と異なる部分は、図１１に示すように、加熱部７５を配置したことと、液体供給路２１の周囲に冷却手段である放熱フィン７６を配置した点である。
【００７５】
加熱部７５は、図１１に示すように、ミストヒータ７７と、このミストヒータ７７を保持するミストヒータ保持板７８とからなる。電力供給部（図示せず）に接続されたミストヒータ７７は、例えばアルミニウムなどからなる金属製のミストヒータ保持板７８の間に保持され、液体溜め室３７とミストヒータ保持板７８が防水ゴムなどにより液密保持するように構成されて、底蓋４に設けられた一対の支持ボス３９にネジ止め固定される。
【００７６】
放熱フィン７６は、図１１から図１３に示すように、中央に貫通孔７９を有し、貫通孔７９の周囲には放射状に複数のフィン８０が設けられている。この放熱フィン７６は、第３送風路３１の内部に配置されている。
【００７７】
貫通孔７９の下端部には、液体供給パイプ下８１が防水ゴムなどにより液密保持するように配置されている。液体供給パイプ下８１は、第３送風路３１の底面に設けられた底穴４７と液体溜め室３７の天面に設けられた天穴４８に臨むように設けられた中空の接続ボス８２を有している。そして、この接続ボス８２には、第１液体供給チューブ４５の一端が接続されている。第１液体供給チューブ４５のもう一方の端（他端）は、液体溜め部７４に溜められた液体１９に浸かるように配置されている。
【００７８】
貫通孔７９の上端部には、液体供給パイプ上８３が防水ゴムなどにより液密保持するように配置されている。液体供給パイプ上８３は、中空の接続ボス８４を有している。この接続ボス８４には、第２液体供給チューブ４６の一端が接続されている。
【００７９】
上記した構成の差異を踏まえて、本実施形態２における美容装置の動作を、図１、図８、図１０、図１１及び図１３を用いて説明する。
【００８０】
先ず、装置本体１からタンク蓋５を開けてタンク１５を取り出し、そのタンク１５内に液体１９を入れ、再び装置本体１内にタンク１５を収納する。この時、タンクホルダー４２に設けられた突出ピン７１によって、タンク１５に設けられた止水ピン７２が前記タンク１５の内側に押し込まれ、円錐パッキン７３の水密性が解除されることによって、前記タンク１５内の液体１９がスチーム発生部１２の煮沸室とミスト発生部１３の液体溜め部７４に供給される。なお、タンクホルダー４２内と煮沸室と液体溜め部７４の液体１９は、液面を示すラインＸで釣り合っている（煮沸室側は図示せず）。
【００８１】
次に、電源操作スイッチボタン１０を押して電源を起動し、モード切替操作スイッチボタン１１により、好みのモード（スチーム発生モードまたはミスト発生モード）を選択する。選択されたモードに従い、スチームヒータ制御部７０、あるいはポンプ制御部６８とファン制御部６９に電力が供給される。
【００８２】
スチームを発生させるモードが選択された場合は、スチームヒータ制御部７０からスチームヒータに電力が供給される。スチームヒータの熱で煮沸室内の水を煮沸（加熱気化）させることにより発生したスチームは、スチーム経路部１８を通ってスチーム噴出孔７から吐出される。
【００８３】
ミストを発生させるモードが選択された場合は、ポンプ制御部６８からポンプモータ９０に電力が供給されると共に、ファン制御部６９からファンモータ５８に電力が供給される。ポンプモータ９０が駆動されると、吐出ボス２９から空気が吐出され、空気接続チューブ３０を通って最終的に空気がミスト噴出孔５４から吐出される。
【００８４】
この時、細径部５５（φＡ）に対してミスト噴出孔５４（φＢ）の孔径を大きく構成しているので、液体吸い上げ穴５６に負圧が発生する。発生した負圧により、液体溜め部７４の液体１９が液体供給路２１を通って吸い上げられ、液体吸い上げ穴５６まで到達する。そして、吸い上げられた液体１９は、空気と混合されてミストとなり、最終的にミスト噴出孔５４から噴出される。
【００８５】
ファンモータ５８が駆動されると、ファン５９が回転し、空気吸入部６０から空気が吸入される。そして、吸入された空気は、第１送風路６３などを通って、最終的にミスト空気放出孔８から、前記ミスト噴出孔５４から噴出されたミストと共に放出される。
【００８６】
そして、液体溜め部７４に溜められた液体１９は、この液体溜め部７４の下部に設けられた加熱部７５により加熱されるが、ミストノズル２２から噴出されるまでの液体供給路２１を通過する過程において冷却される。この時、放熱フィン７６を含む液体供給路２１は、第３送風路３１の中に配置されているので、放熱フィン７６と空気とが効率的に熱交換し、液体１９はより冷却され、ほぼ常温の状態に戻る。
【００８７】
なお、加熱部７５により加熱される液体溜め部７４に溜められた液体１９の温度は、７０℃から１００℃、好ましくは８０℃から９０℃であることが望ましい。
【００８８】
また、実施形態２の美容装置では、制御部１４がスチーム発生部１２とミスト発生部１３を制御することにより、スチームとミストを交互に供給させるモードとすることもできる。
【００８９】
以上のように本実施形態２の美容装置によれば、ミストの発生量と風量が互いに相関がないので（ミストを発生させる際の空気ポンプ２０の風量は、送風部２３から発生される風量に比べてわずかな量であるため）、風量のバラツキがミスト量のバラツキにも影響することがない。したがって、この美容装置によれば、十分な冷却効果があり、かつ快適な冷却感を感じるミスト量と風量の適当な組み合わせの範囲に容易に収めることができる。
【００９０】
また、本実施形態２の美容装置によれば、送風部２３の経年劣化などにより風量変化が発生した場合、収めていた適当な組み合わせの範囲から逸脱する可能性が少ない。
【００９１】
また、本実施形態２の美容装置によれば、ミストを発生させるために、従来のように大きな液体溜め部７４が必要でないので、構造上装置自体を小さくできる。
【００９２】
また、本実施形態２の美容装置によれば、本方式により発生されるミストの平均粒径は数十μｍ程度であり、僅かではあるが肺にまで到達するような数ミクロンの粒径のミストも含んでいるが、加熱部７５を設けることにより、液体１９を加熱殺菌してからミスト化することができるので、常時衛生的に使用することができる。
【００９３】
また、本実施形態２の美容装置によれば、送風部２３から発生される風は加熱部７５を通る必要はないので、風が加熱されることはなく、冷却感を損なうことはない。
【００９４】
また、本実施形態２の美容装置によれば、霧化させるのに多くの液体１９を溜めておく必要がないので、加熱するためのミストヒータ７７は小さな出力で済み、多くの電力を消費することがない。
【００９５】
また、本実施形態２の美容装置によれば、加熱された液体１９をミストノズル２２に送りミスト化するまでに冷却することができるので、ミストの温度を常温に近づけることができ、更に冷却感を損なうことはない。
【００９６】
また、本実施形態２の美容装置によれば、冷却性能を与えるための送風を用いるため、構造上装置自体が大きくなることがない。
【００９７】
また、本実施形態２の美容装置によれば、冷却する空気の温度上昇は僅かなため（送風される空気量に対して発生させるミスト量が僅かなため）、更に冷却感を損なうことはない。
【００９８】
また、本実施形態２の美容装置によれば、加熱された液体１９をミストノズル２２に送りミスト化するまでに冷却する効率を上げることができるため、ミストの温度を更に、常温に近づけることができ、更に冷却感を損なうことはない。
【００９９】
また、本実施形態２の美容装置によれば、モード選択によりスチームによる温刺激の後にミストによる冷刺激を与えることができるので、冷却感の快適性を上げることができる。
【０１００】
「その他の実施形態」
以上、本発明を適用した具体的な実施形態について説明したが、本発明は、上述の実施形態に制限されることなく種々の変更が可能である。
【０１０１】
例えば、上述の実施形態において、ポンプ制御部６８とファン制御部６９は、同一の制御機構部として共通化してもよい。
【０１０２】
また、実施形態２の美容装置においては、加熱部７５に液体１９の温度を検知する温度検知部と、その温度を制御する温度制御部を設けて、液体１９の温度が一定範囲になるように制御しても良い。
【０１０３】
また、実施形態２の美容装置においては、加熱された液体１９を冷却する冷却手段は、送風供給路２４より供給された送風だけでなく、液体供給路２１の周囲にペルチェ素子を配置し、このペルチェ素子で冷却するようにしてもよい。
【図面の簡単な説明】
【０１０４】
【図１】図１は実施形態１の美容装置の外観斜視図である。
【図２】図２は実施形態１の美容装置の内部構造を一方向から見たときの斜視図である。
【図３】図３は実施形態１の美容装置の内部構造を他方向から見たときの斜視図である。
【図４】図４は実施形態１の美容装置の内部構造を示す上面図である。
【図５】図５は実施形態１の美容装置における送風部、送風供給路、および液体供給路の主要断面図（図４のＣ−Ｃ断面図）である。
【図６】図６は実施形態１の美容装置における送風供給路および液体供給路の部分断面図（図４のＤ−Ｄ断面図）である。
【図７】図７は実施形態１の美容装置におけるミスト噴出部の断面図（図４のＥ−Ｅ断面図）である。
【図８】図８は実施形態１の美容装置におけるミストノズルの縦断面図である。
【図９】図９は実施形態１の美容装置におけるミストノズルの斜視図である。
【図１０】図１０は実施形態１の美容装置におけるタンク周辺の断面図（図４のＦ−Ｆ断面図）である。
【図１１】図１１は実施形態２の美容装置における送風部、送風供給路、および液体供給路の主要断面図（図４のＣ−Ｃ線位置に相当する断面図）である。
【図１２】図１２は実施形態２の美容装置における放熱フィン周辺の斜視図である。
【図１３】図１３は実施形態２の美容装置における放熱フィン周辺の断面図（図１１のＧ−Ｇ断面図）である。
【符号の説明】
【０１０５】
８    ミスト空気放出孔（放出孔）
１２  スチーム発生部
１３  ミスト発生部
１４  制御部
１９  液体
２０  空気ポンプ（ポンプ）
２１  液体供給路
２２  ミストノズル
２３  送風部
２４  送風供給路（冷却手段）
５４  ミスト噴出孔
７４  液体溜め部
７５  加熱部
７６  放熱フィン
【図１】
2008295473.tif 000003
【図２】
2008295473.tif 000004
【図３】
2008295473.tif 000005
【図４】
2008295473.tif 000006
【図５】
2008295473.tif 000007
【図６】
2008295473.tif 000008
【図７】
2008295473.tif 000009
【図８】
2008295473.tif 000010
【図９】
2008295473.tif 000011
【図１０】
2008295473.tif 000012
【図１１】
2008295473.tif 000013
【図１２】
2008295473.tif 000014
【図１３】
2008295473.tif 000015